(57)【要約】【課題】収納用の箱として充分に使用でき、展示用やディスプレイ用としても使用可能な意匠性を有する箱を提供する。【解決手段】本発明を適用した箱の一例である箱１は箱本体２と上部開放片３と側部開放片４とを有している。【選択図】図１
2014055017.tif 000002
【特許請求の範囲】
【請求項１】
所定の面と、該所定の面の概ね端部に同所定の面と略垂直に形成された第１の面と、前記所定の面の前記第１の面が形成された側と対向する側の概ね端部に同第１の面と略平行に形成された第２の面と、前記所定の面と前記第１の面及び前記第２の面の概ね端部に同所定の面と同第１の面及び同第２の面に略垂直に形成された第３の面と、前記第１の面と前記第２の面及び前記第３の面の前記所定の面が位置する側と対向する側の概ね端部に同所定の面と略平行に形成された第４の面とを有する箱本体と、
前記第４の面の前記第３の面側の端部と対向する側の端部に接合されると共に、前記第４の面と接合した端部を軸に前記箱本体から見て外側方向に回動可能に構成された第１の開放片と、
該第１の開放片の前記第４の面と接合された側と対向する側の端部に接合されると共に、前記第１の開放片と接合した端部を軸に回動可能に構成された第２の開放片とを備える
箱。
【請求項２】
前記第４の面と接合した端部及び前記第１の開放片と接合した端部は、前記箱本体から見て内側から切込みが設けられた
請求項１に記載の箱。
【請求項３】
前記第１の開放片の前記第１の面及び前記第２の面と接する位置に第１の溝部が形成され、
前記第２の開放片の前記第１の面及び前記第２の面と接する位置に第２の溝部が形成された、
請求項１または請求項２に記載の箱。
【請求項４】
前記所定の面の幅と長さが前記第４の面と前記第１の開放片を合わせた幅と長さと略同一である
請求項１、請求項２または請求項３に記載の箱。
【請求項５】
前記第３の面の幅と長さが前記第２の開放片の幅と長さと略同一である
請求項１、請求項２、請求項３または請求項４に記載の箱。
【請求項６】
前記箱本体、前記第１の開放片及び前記第２の開放片は紙で製造された
請求項１、請求項２、請求項３、請求項４または請求項５に記載の箱。
【発明の詳細な説明】
【技術分野】
【０００１】
本発明は、箱に関する。詳しくは、収納の用途だけでなく、意匠性を備え、商品の展示やインテリアとしての用途にも用いることができる箱に係るものである。
【背景技術】
【０００２】
商品の包装や集積輸送用、また、身の周りの品の収納など様々な用途で箱が利用されている。また、箱の中には、商品の展示専用に製作された広告展示機能に特化した展示用箱も存在する。
【０００３】
こうしたなか、収納包装機能と展示機能を併せ持つ箱として、例えば、特許文献１に記載の箱が提案されている。
【０００４】
ここで、特許文献１には、図６に示すような包装箱１００が記載されている。包装箱１００は、天面部１０１と底面部１０２と側面部１０３から構成される。側面部１０３に設けられた開封用の切離部１０４を切り取り、上部箱体と下部箱体に分離される。下部箱体の内側には、天面部の方向に伸びる揺動可能なディスプレイ板１０５が設けられている。
【先行技術文献】
【特許文献】
【０００５】
【特許文献１】特開２００７−１６１３３０号公報
【発明の概要】
【発明が解決しようとする課題】
【０００６】
しかしながら、特許文献１に記載された箱は、切離部を切り取り、上下の箱体に分離させた後は、箱としての形状が残らず、展示後に収納用途として使いづらいものとなる。また、上下で分離可能にするための切込み線が設けられていることから、分離前の箱体としての強度が弱くなるおそれがある。よって、中身の入った分離前の箱を積み重ねた場合などに潰れてしまうなどの不都合が生じる。
【０００７】
本発明は、以上の点に鑑みて創案されたものであり、収納用の箱として充分に使用でき、展示用やディスプレイ用としても使用可能な意匠性を有する箱を提供することを目的とする。
【課題を解決するための手段】
【０００８】
上記の目的を達成するために、本発明の箱は、所定の面と、該所定の面の概ね端部に同所定の面と略垂直に形成された第１の面と、前記所定の面の前記第１の面が形成された側と対向する側の概ね端部に同第１の面と略平行に形成された第２の面と、前記所定の面と前記第１の面及び前記第２の面の概ね端部に同所定の面と同第１の面及び同第２の面に略垂直に形成された第３の面と、前記第１の面と前記第２の面及び前記第３の面の前記所定の面が位置する側と対向する側の概ね端部に同所定の面と略平行に形成された第４の面とを有する箱本体と、前記第４の面の前記第３の面側の端部と対向する側の端部に接合されると共に、前記第４の面と接合した端部を軸に前記箱本体から見て外側方向に回動可能に構成された第１の開放片と、該第１の開放片の前記第４の面と接合された側と対向する側の端部に接合されると共に、前記第１の開放片と接合した端部を軸に回動可能に構成された第２の開放片とを備える。
【０００９】
ここで、箱本体が、所定の面と、所定の面の概ね端部に所定の面と略垂直に形成された第１の面と、所定の面の第１の面が形成された側と対向する側の概ね端部に第１の面と略平行に形成された第２の面と、所定の面と第１の面及び第２の面の概ね端部に所定の面と第１の面及び第２の面に略垂直に形成された第３の面と、第１の面と第２の面及び第３の面の所定の面が位置する側と対向する側の概ね端部に所定の面と略平行に形成された第４の面を有することによって、各々の面に囲まれた箱状体が形成される。このことによって、面で囲まれた空間の中に物を入れて使用することができる。
【００１０】
また、箱本体が、所定の面と、第１の面と第２の面及び第３の面の所定の面が位置する側と対向する側の概ね端部に所定の面と略平行に形成された第４の面とを有することによって、箱本体には所定の面とそれに略平行な面が形成されている。所定の面と第４の面が略平行であることにより、第４の面の上に、所定の面を載置して、箱同士を積み重ねることができる。即ち、収納時にも箱同士を重ねて整理することができる。また、展示用の箱として用いる場合にも、積み重ねての使用が可能となる。
【００１１】
また、第１の開放片が第４の面と接合した端部を軸に箱本体から見て外側方向に回動可能に構成されたことによって、第１の開放片が配置された領域から第４の面の方へ端部を軸の中心として、第１の開放片を反転させることができる。つまり、第４の面及び第１の開放片で構成される箱の面のうち、第１の開放片が配置された領域が開くことになる。箱の一部が開放されることで、箱の内部への物の出し入れを可能にし、中に入れた物を見やすくすることができる。
【００１２】
また、第１の開放片と接合した端部を軸に回動可能に構成された第２の開放片を有することによって、第２の開放片が配置された領域から第１の開放片の方へ端部を軸の中心として、第２の開放片を反転させることができる。つまり、第２の開放片が配置された領域が開くことになる。箱の一部が開放されることで、箱の内部への物の出し入れを可能にし、中に入れた物を見やすくすることができる。また、第１の開放片の上に第２の開放片を重ねることができ、第２の開放片が配置された領域のみ開放された箱を作ることができる。
【００１３】
また、第１の開放片が第４の面と接合した端部を軸に箱本体から見て外側方向に回動可能に構成されたことと、第１の開放片の第４の面と接合された側と対向する側の端部に接合された第２の開放片を有することによって、第２の開放片が第１の開放片の動きに連動することになる。つまり、第１の開放片を箱が開放する向きに回動させたときに、第２の開放片が配置された領域も開くことになる。第２の開放片が第１の開放片の動きに連動することで、箱の開放される領域が広くなり、さらに箱の内部への出し入れが容易になる。また、中に入れたものをさらに見やすくすることができる。
【００１４】
また、第１の開放片を箱が開放する向きに回動させたときに、第１の開放片及び第２の開放片が第４の面に重なり、第１の開放片及び第２の開放片の内側の面が外向きに現れることになる。即ち、内側の面に柄や模様を施すことで、箱の外観とは異なる印象を生じさせ、箱の意匠性を向上させることができる。
【００１５】
また、第１の開放片が第４の面と接合した端部を軸に箱本体から見て外側方向に回動可能に構成されたことと、第２の開放片が第１の開放片と接合した端部を軸に回動可能に構成されたことによって、第１の開放片を箱が開放する向きに回動させながら、第２の開放片も回動させることができる。このことによって、第４の面上に第１の開放片と第２の開放片を立ち上げた状態で維持させることが可能となる。例えば、展示用の箱として使用する際に、各々の開放片の内側の面にポップ広告や商品ブランドのマークを貼りつけるなど、販売促進用のツールとして用いることができる。
【００１６】
また、第４の面と接合した端部に箱本体から見て内側から切込みが設けられた場合には、第１の開放片は端部を軸の中心として回動する動きが可能となる。即ち、第１の開放片が配置された領域が開くことになる。箱の一部が開放されることで、箱の内部への物の出し入れを可能にし、中に入れた物を見やすくすることができる。
【００１７】
また、第１の開放片と接合した端部に箱本体から見て内側から切込みが設けられた場合には、第２の開放片は端部を軸の中心として回動する動きが可能となる。即ち、第２の開放片が配置された領域が開くことになる。箱の一部が開放されることで、箱の内部への物の出し入れを可能にし、中に入れた物を見やすくすることができる。また、第１の開放片の上に第２の開放片を重ねることができ、第２の開放片が配置された領域のみ開放された箱を作ることができる。
【００１８】
また、第４の面と接合した端部及び第１の開放片と接合した端部に、箱本体から見て内側から切込みが設けられた場合には、第１の開放片を箱が開放する向きに回動させながら、第２の開放片も回動させることができる。このことによって、第４の面上に第１の開放片と第２の開放片を立ち上げた状態で維持させることが可能となる。
【００１９】
また、第１の開放片の第１の面及び第２の面と接する位置に第１の溝部が形成され、第２の開放片の第１の面及び第２の面と接する位置に第２の溝部が形成された場合には、第１の開放片及び第２の開放片の内側の面が外向きに現れた際に溝部がデザインとなり、箱の外観とは異なる印象を生じさせ、箱の意匠性を向上させることができる。
【００２０】
また、所定の面の幅と長さが第４の面と第１の開放片を合わせた幅と長さと略同一である場合には、第１の開放片を回動させないときの箱の形状で、所定の面と向かい合う面が同じ大きさになる。このことによって、箱の形状のバランスがよく、見栄えをよいものにすることができる。また、箱同士を積み重ねやすく整理しやすいものにできる。
【００２１】
また、第３の面の幅と長さが第２の開放片の幅と長さと略同一である場合には、第１の開放片及び第２の開放片を回動させないときの箱の形状で、第３の面と向かい合う面（第２の開放片）が同じ大きさになる。このことによって、箱の形状のバランスがよく、見栄えをよいものにすることができる。
【００２２】
また、箱本体、第１の開放片及び第２の開放片が紙で製造された場合には、箱の重量が軽くなり扱いやすいものとなる。また廃棄が容易になる。さらに、貼り紙を変えることで、色や模様など箱のデザインを所望のものに容易に変更することができる。
【発明の効果】
【００２３】
本発明に係る箱は、収納用の箱として充分に使用でき、展示用やディスプレイ用としても使用可能な意匠性を有するものとなっている。
【図面の簡単な説明】
【００２４】
【図１】本発明を適用した箱の一例を示す概略斜視図である。
【図２】上部開放片及び側部開放片を閉じた状態の箱を示す概略斜視図である。
【図３】上部開放片及び側部開放片を上面に重ねた状態の箱を示す概略斜視図である。
【図４】箱を重ねて使用した場合の概略斜視図である。
【図５】上部開放片及び側部開放片を立ち上げた状態の箱を示す概略斜視図である。
【図６】従来の箱の概略図である。
【発明を実施するための形態】
【００２５】
以下、本発明の実施の形態について図面を参照しながら説明し、本発明の理解に供する。
図１は、本発明を適用した箱の一例を示す概略斜視図である。図２は、上部開放片及び側部開放片を閉じた状態の箱を示す概略斜視図である。
【００２６】
ここで、図１（ａ）に示すように、本発明を適用した箱の一例である箱１は、箱本体２と上部開放片３と側部開放片４とを備えている。
【００２７】
図２に示すように、箱本体２は、底面５と底面５の両側端部に溝（図示せず）が形成され、溝の位置から底面５に対して略垂直に設けられた第１の側面６を有する。第１の側面６は第２の側面７で繋がっている。第２の側面７は、底面５及び第１の側面６と略垂直になるように形成されている。また、底面５、第１の側面６及び第２の側面７の上部には、上面８が設けられている。上面８が第１の側面６と接する部分にも溝（図示せず）が形成されている。底面５と上面８は略平行に設けられている。
【００２８】
ここで、必ずしも、底面５及び上面８の端部に溝が形成され、第１の側面６が溝の位置に設けられる必要はない。図１（ｂ）に本発明を適用した箱の変形例を示す。図１（ｂ）に記載された箱のように、第１の側面６が、底面５及び上面６の端部よりも外側に形成された箱の形状であってもよい。
【００２９】
また、図２に示すように、上部開放片３は第１境界部９の部分で上面８と繋がっている。第１境界部９を軸として、上部開放片３は箱が開放する方向に回動できるように構成されている。また、第１境界部９は箱の内部側から切込み（図示せず）が設けられている。
【００３０】
また、底面５の幅と長さは、上部開放片３と上面８を合わせた面の幅と長さと略同じになるように構成されている。また、上部開放片３の第１の側面６と接する位置には、溝部（図示せず）が形成されている。この溝部は、上面８と第１の側面６とが接する部分に形成された溝の延長線上に形成されている。
【００３１】
ここで、必ずしも、底面５の幅と長さは、上部開放片３と上面８を合わせた面の幅と長さと略同じになるように構成される必要はない。但し、箱の形状のバランスがよく、見栄えが良くなる点及び箱同士を積み重ねやすく整理しやすいものにできる点から、底面５の幅と長さは、上部開放片３と上面８を合わせた面の幅と長さと略同じになるように構成されることが望ましい。
【００３２】
また、必ずしも、上部開放片３の第１の側面６と接する位置には、溝部が形成される必要はない。但し、上部開放片３の内側の面が外向きに現れた際に見栄えが良くなる点から、溝部が形成されることが好ましい。
【００３３】
また、図２に示すように、側部開放片４は第２境界部１０の部分で上部開放片３と繋がっている。第２境界部１０を軸として、側部開放片４は箱が開放する方向に回動できるように構成されている。また、箱全体から見て、側部開放片４は箱の側面の１つを構成している。また、第２境界部１０は箱の角部分に該当する。また、第２境界部１０は箱の内部側から切込み（図示せず）が設けられている。
【００３４】
また、上部開放片３の幅と長さは、側部開放片４の幅と長さと略同じになるように構成されている。また、上部開放片３と側部開放片４を合わせた面の幅と長さは、上面８の幅と長さと略同じになるように構成されている。また、側部開放片４の第１の側面６と接する位置には、溝部（図示せず）が形成されている。この溝部は、上部開放片３と側部開放片４を同一平面上に並べた場合に、上部開放片３と第１の側面６とが接する位置に形成された溝部の延長線上に形成されている。
【００３５】
さらに、第２の側面７の幅と長さは、側部開放片４の幅と長さと略同じになるように構成されている。
【００３６】
ここで、必ずしも、上部開放片３の幅と長さは、側部開放片４の幅と長さと略同じになるように構成される必要はない。但し、側部開放片４を、第２境界部１０を軸に回動させ、上部開放片３に重ねた際に、２つの開放片がぴったりと重なり見栄えがよくなる点で、上部開放片３の幅と長さは、側部開放片４の幅と長さと略同じになるように構成されることが好ましい。
【００３７】
また、必ずしも、上部開放片３と側部開放片４を合わせた面の幅と長さは、上面８の幅と長さと略同じになるように構成される必要はない。但し、上部開放片３及び側部開放片４を、第１境界部９を軸に回動させ、上面８に重ねた際に、上部開放片３及び側部開放片４を上面８にぴったりと重ねることができる。このことは、見栄えがよくなる点及び各開放片を上面８に重ね、箱が開放された状態でも箱１を重ねて使用しやすくなる点から、上部開放片３と側部開放片４を合わせた面の幅と長さは、上面８の幅と長さと略同じになるように構成されることが好ましい。
【００３８】
また、必ずしも、側部開放片４の第１の側面６と接する位置には、溝部が形成される必要はない。但し、側部開放片４の内側の面が外向きに現れた際に見栄えが良くなる点から、溝部が形成されることが好ましい。
【００３９】
また、必ずしも、第２の側面７の幅と長さは、側部開放片４の幅と長さと略同じになるように構成される必要はない。但し、但し、箱の形状のバランスがよく、見栄えが良くなる点から、第２の側面７の幅と長さは、側部開放片４の幅と長さと略同じになるように構成されることが好ましい。
【００４０】
また、箱本体２と上部開放片３及び側部開放片４は紙で製造されている。また、これらは、箱の内側に配置された面と箱の外側に配置された面には異なる色が施されている。
【００４１】
ここで、必ずしも、箱本体２と上部開放片３及び側部開放片４は紙で製造される必要はない。但し、箱が軽く扱いやすいものになる点、使用後の廃棄が容易になる点及び貼り紙を変えてデザインを容易に変えられる点から、箱本体２と上部開放片３及び側部開放片４は紙で製造されることが好ましい。
【００４２】
また、必ずしも、箱本体２と上部開放片３及び側部開放片４の箱の内側に配置された面と箱の外側に配置された面には異なる色が施される必要はない。但し、箱の内側の面が見える状態で使用した際に、箱の外観とは異なる印象を生じさせ意匠性が向上する点から、箱の内側に配置された面と箱の外側に配置された面には異なる色が施されることが好ましい。同様の観点から、模様で違いを出すことも考えられる。
【００４３】
以下、本発明を適用した箱の使用形態について図面を参照しながら説明し、本発明の理解に供する。
図２については前述したが、上部開放片及び側部開放片を閉じた状態の箱を示す概略斜視図である。図３は、上部開放片及び側部開放片を上面に重ねた状態の箱を示す概略斜視図である。図４は、箱を重ねて使用した場合の概略斜視図である。図５は、上部開放片及び側部開放片を立ち上げた状態の箱を示す概略斜視図である。
【００４４】
まず、第１の使用形態として、図２に示すように、上部開放片３及び側部開放片４を閉じた状態の箱１の使用がある。箱１の内部に中身を入れて、包装や収納用の箱として用いることができる。
【００４５】
また、第２の使用形態として、図３に示すように、上部開放片３及び側部開放片４を上面８に重ねた状態の箱１として使用できる。箱１の上部と側面が大きく開放された形状になっており、箱１の内部に入れた物の出し入れが容易になる。また、箱１の上部と側面から中身を視認しやすいものになっている。例えば、小物を入れて、箱１を棚などに置いた場合には、中身が取り出しやすく、インテリアとしても使用することができる。
【００４６】
さらに、上部開放片３及び側部開放片４が閉じられた状態で第１の側面６と接する位置には、溝部１１及び溝部１２が形成されている。また、第１境界部９及び第２境界部１０には箱の内側から切込み部１５及び切込み部１６が設けられている。第２の使用形態では、溝部１１、溝部１２、切込み部１５及び切込み部１６が箱１の外側のデザインとなることで、意匠性が向上し、箱１はより使いやすいものとなっている。
【００４７】
また、第２の使用形態の変形例として、側部開放片４を上部開放片３に重ね、側部開放片４のみ開放させた状態の箱１の使用（図示せず）もある。中身の視認性を確保しつつ、箱１を収納や展示用に用いることができる。例えば、収納しながらも、中身の一部を確認することができるため、靴を入れて整理するための用途に適している。
【００４８】
次に、第３の使用形態として、図４に示すように、箱１を重ねての使用がある。箱本体２の底面５及び上面８は平行に設けられているため、複数の箱１を縦に重ねた場合も、崩れにくいものとなっている。ここでは、一番上に置いた箱１のみ、上部開放片３及び側部開放片４を開放させた状態になっているが、重ねられる側の箱１も開放させた状態にして、箱１を積み重ねることが可能である。収納に用いる際の箱の整理がしやすく、展示用に用いる際にも、アピールしたい商品を中に入れて、箱を高く積んで見せることもできる。
【００４９】
また、第４の使用形態として、図５に示すように、上部開放片３及び側部開放片４を立ち上げた状態の箱として使用することもできる。この状態の箱１は、特に展示用のディスプレイとして使いやすい形態である。立ち上がった状態の上部開放片３または側部開放片４の面の部分に、商品１３に関するポップ広告１４や商品ブランドのロゴマークなどを貼りつけて使うことができる。特に複雑な作業を要さずに、ディスプレイ用の箱として利用することができる。
【００５０】
また、本発明を適用した箱は、開放させた状態と閉じた状態を容易に変えることができるものとなっている。展示用の箱として使用した場合でも、箱体の形状は有したままなので、その後に収納用途に用いることができる
【００５１】
このように、本発明を適用した箱は、収納用の箱として充分に使用でき、展示用やディスプレイ用としても使用可能な意匠性を有するものとなっている。
【符号の説明】
【００５２】
１      箱
２      箱本体
３      上部開放片
４      側部開放片
５      底面
６      第１の側面
７      第２の側面
８      上面
９      第１境界部
１０      第２境界部
１１      溝部
１２      溝部
１３      商品
１４      ポップ広告
１５      切込み部
１６      切込み部
【図１】
2014055017.tif 000003
【図２】
2014055017.tif 000004
【図３】
2014055017.tif 000005
【図４】
2014055017.tif 000006
【図５】
2014055017.tif 000007
【図６】
2014055017.tif 000008